(57)【要約】【課題】立体視用画像の表示が可能な再生装置にあっては立体視用画像を表示でき、立体視用画像の表示が不可能な再生装置にあっても良好な画像表示を可能にする。【解決手段】記録媒体の同一のＤＣＦディレクトリ内に、ＤＣＦ基本ファイルおよびＤＣＦ拡張画像ファイルを書き込む。ＤＣＦ拡張画像ファイルは、立体視用画像を表示するための左右の視点で被写体を撮像して得られた左右の画像データを合成して合成画像データを得、当該合成画像データをＪＰＥＧ方式で圧縮符号化して生成された第２の圧縮符号化データ（ＪＰＥＧ圧縮画像データ）を含む第２の画像ファイルである。ＤＣＦ基本ファイルは、左右の画像データから選択された一方の画像データ（左右の画像データを代表する代表画像データである単一の画像データ）をＪＰＥＧ方式で圧縮符号化して生成された第１の圧縮符号化データ（ＪＰＥＧ圧縮画像データ）を含む第１の画像ファイルである。【選択図】図４
2008283602.tif 000002
【特許請求の範囲】
【請求項１】
所定の視点で被写体を撮像して得られた単一の画像データに対して圧縮符号化を行って第１の圧縮符号化データを生成すると共に、互いに異なる視点で上記被写体を撮像して得られた複数の画像データを合成した合成画像データに対して圧縮符号化を行って第２の圧縮符号化データを生成するエンコード部と、
上記エンコード部で生成された上記第１の圧縮符号化データを含む第１の画像ファイルを生成すると共に、上記エンコード部で生成された上記第２の圧縮符号化データを含む第２の画像ファイルを生成するファイル生成部と、
上記ファイル生成部で生成された上記第１の画像ファイルおよび上記第２の画像ファイルを関連付けて記録媒体に書き込むファイル書き込み部と
を備えることを特徴とする記録装置。
【請求項２】
上記単一の画像データは、上記複数の画像データから選択される、該複数の画像データを代表する代表画像データである
ことを特徴とする請求項１に記載の記録装置。
【請求項３】
上記第１の画像ファイルはメタデータを含み、
上記ファイル生成部は、上記第１の画像ファイルのメタデータに、上記単一の画像データが上記複数の画像データのいずれであるかを示す情報を含ませる
ことを特徴とする請求項２に記載の記録装置。
【請求項４】
上記第２の画像ファイルはメタデータを含み、
上記ファイル生成部は、上記第２の画像ファイルのメタデータに、上記単一の画像データとして選択することが望まれる画像データが上記複数の画像データのいずれであるかを示す情報を含ませる
ことを特徴とする請求項２に記載の記録装置。
【請求項５】
上記合成画像データは、左右の視点で被写体を撮像して得られた左右の画像データを合成した合成画像データである
ことを特徴とする請求項１に記載の記録装置。
【請求項６】
上記第１の画像ファイルはメタデータを含み、
上記ファイル生成部は、上記第１の画像ファイルのメタデータに上記第２の画像ファイルのファイル名を含ませる
ことを特徴とする請求項１に記載の記録装置。
【請求項７】
上記第２の画像ファイルはメタデータを含み、
上記ファイル生成部は、上記第２の画像ファイルのメタデータに上記第１の画像ファイルのファイル名を含ませる
ことを特徴とする請求項１に記載の記録装置。
【請求項８】
上記ファイル生成部は、
上記第１の画像ファイルをＤＣＦ基本ファイルまたはＤＣＦ拡張画像ファイルとして生成し、上記第２の画像ファイルを上記ＤＣＦ拡張画像ファイルまたは上記ＤＣＦ基本ファイルとして生成し、
上記ファイル書き込み部は、
上記第１の画像ファイルおよび上記第２の画像ファイルを、上記記録媒体の同一のＤＣＦディレクトリ内に書き込む
ことを特徴とする請求項１に記載の記録装置。
【請求項９】
上記第１の画像ファイルおよび上記第２の画像ファイルのうち、いずれを上記ＤＣＦ基本ファイルとし、いずれを上記ＤＣＦ拡張画像ファイルとするかを、ユーザが選択するためのユーザ操作部をさらに備える
ことを特徴とする請求項８に記載の記録装置。
【請求項１０】
所定の視点で被写体を撮像して得られた単一の画像データに対して圧縮符号化を行って第１の圧縮符号化データを生成すると共に、互いに異なる視点で上記被写体を撮像して得られた複数の画像データを合成した合成画像データに対して圧縮符号化を行って第２の圧縮符号化データを生成するエンコードステップと、
上記エンコードステップで生成された上記第１の圧縮符号化データを含む第１の画像ファイルを生成すると共に、上記エンコードステップで生成された上記第２の圧縮符号化データを含む第２の画像ファイルを生成するファイル生成ステップと、
上記ファイル生成ステップで生成された上記第１の画像ファイルおよび上記第２の画像ファイルを関連付けて記録媒体に書き込むファイル書き込みステップと
を備えることを特徴とする記録方法。
【請求項１１】
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが関連付けされて記録されている
ことを特徴とする記録媒体。
【請求項１２】
上記第１の画像ファイルおよび上記第２の画像ファイルは、ファイル名の一部が共通とされ、同一のディレクトリ内に記録されている
ことを特徴とする請求項１１に記載の記録媒体。
【請求項１３】
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが、関連付けされて記録されている記録媒体を取り扱う再生装置であって、
上記記録媒体から、少なくとも、上記第１の画像ファイルまたは上記第２の画像ファイルを読み出すファイル読み出し部と、
上記ファイル読み出し部で読み出された画像ファイルに含まれる圧縮符号化データを復号化して画像データを得るデコード部と、
上記デコード部で得られた画像データによる画像を表示する画像表示部と
を備えることを特徴とする再生装置。
【請求項１４】
上記ファイル読み出し部は、上記第１の画像ファイルを読み出し、その後に、上記第２の画像ファイルを読み出し、
上記デコード部は、上記ファイル読み出し部で読み出された上記第１の画像ファイルに含まれている上記第１の圧縮符号化データを復号化して上記単一の画像データを得、その後に、上記ファイル読み出し部で読み出された上記第２の画像ファイルに含まれている上記第２の圧縮符号化データを復号化して上記複数の画像データを得、
上記画像表示部は、上記デコード部で得られた上記単一の画像データによる画像表示を行い、その後に、上記デコード部で得られた上記複数の画像データによる立体視用画像の表示を行う
ことを特徴とする請求項１３に記載の再生装置。
【請求項１５】
上記ファイル読み出し部は、上記第１の画像ファイルを読み出し、その後に、上記第２の画像ファイルを読み出し、
上記デコード部は、上記ファイル読み出し部で読み出された上記第２の画像ファイルに含まれている上記第２の圧縮符号化データを復号化して上記複数の画像データを得、
上記画像表示部は、上記デコード部で得られた上記複数の画像データによる立体視用画像の表示を行う
ことを特徴とする請求項１３に記載の再生装置。
【請求項１６】
上記ファイル読み出し部は、上記第２の画像ファイルを読み出し、
上記デコード部は、上記ファイル読み出し部で読み出された上記第２の画像ファイルに含まれている上記第２の圧縮符号化データを復号化して上記複数の画像データを得、
上記画像表示部は、上記デコード部で得られた上記複数の画像データによる立体視用画像の表示を行う
ことを特徴とする請求項１３に記載の再生装置。
【請求項１７】
上記記録媒体に、上記第１の画像ファイルはＤＣＦ基本ファイルまたはＤＣＦ拡張画像ファイルとして書き込まれており、上記第２の画像ファイルは上記ＤＣＦ拡張画像ファイルまたは上記ＤＣＦ基本ファイルとして書き込まれており、
上記ファイル読み出し部は、
上記ＤＣＦ基本ファイルを読み出し、該ＤＣＦ基本ファイルが上記第１の画像ファイルであるときはさらに上記ＤＣＦ拡張画像ファイルを読み出し、
上記デコード部は、
上記ファイル読み出し部で読み出された上記ＤＣＦ基本ファイルが上記第１の画像ファイルであるとき、該第１の画像ファイルに含まれる上記第１の圧縮符号化データを復号化して上記単一の画像データを得、その後、上記ファイル読み出し部で読み出された上記ＤＣＦ拡張画像ファイルに含まれる上記第２の圧縮符号化データを復号化して上記複数の画像データを得、
上記ファイル読み出し部で読み出された上記ＤＣＦ基本ファイルが上記第２の画像ファイルであるとき、該第２の画像ファイルに含まれる上記第２の圧縮符号化データを復号化して上記複数の画像データを得、
上記画像表示部は、
上記ファイル読み出し部で読み出された上記ＤＣＦ基本ファイルが上記第１の画像ファイルであるとき、上記デコード部で得られた上記単一の画像データによる画像表示を行い、その後に、上記デコード部で得られた上記複数の画像データによる立体視用画像の表示を行い、
上記ファイル読み出し部で読み出された上記ＤＣＦ基本ファイルが上記第２の画像ファイルであるとき、上記デコード部で得られた上記複数の画像データによる立体視用画像の表示を行う
ことを特徴とする請求項１３に記載の再生装置。
【請求項１８】
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが、関連付けされて記録されている記録媒体を取り扱う再生装置における再生方法であって、
上記記録媒体から、少なくとも、上記第１の画像ファイルまたは上記第２の画像ファイルを読み出すファイル読み出しステップと、
上記ファイル読み出しステップで読み出された画像ファイルに含まれる圧縮符号化データを復号化して画像データを得るデコードステップと、
上記デコードステップで得られた画像データによる画像を表示する画像表示ステップと
を備えることを特徴とする再生方法。
【請求項１９】
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが、関連付けされて記録されている記録媒体を取り扱う編集装置であって、
上記記録媒体から少なくとも上記第２の画像ファイルを読み出すファイル読み出し部と、
上記ファイル読み出し部で読み出された上記第２の画像ファイルに含まれる上記第２の圧縮符号化データを復号化して上記複数の画像データを得るデコード部と、
上記デコード部で得られた上記複数の画像データに対して編集処理を施す画像データ処理部と、
上記画像データ処理部で処理された上記複数の画像データを合成した合成画像データに対して圧縮符号化を行って上記第２の圧縮符号化データを生成すると共に、上記複数の画像データから選択された、該複数の画像データを代表する代表画像データである単一の画像データに対して圧縮符号化を行って上記第１の圧縮符号化データを生成するエンコード部と、
上記エンコード部で生成された上記第１の圧縮符号化データを含む上記第１の画像ファイルを生成すると共に、上記エンコード部で生成された上記第２の圧縮符号化データを含む上記第２の画像ファイルを生成するファイル生成部と、
上記ファイル生成部で生成された上記第１の画像ファイルおよび上記第２の画像ファイルを関連付けて記録媒体に書き込むファイル書き込み部と
を備えることを特徴とする編集装置。
【請求項２０】
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが、同一のディレクトリ内に関連付けされて記録されている記録媒体を取り扱う編集装置における編集方法であって、
上記記録媒体から少なくとも上記第２の画像ファイルを読み出すファイル読み出しステップと、
上記ファイル読み出しステップで読み出された上記第２の画像ファイルに含まれる上記第２の圧縮符号化データを復号化して上記複数の画像データを得るデコードステップと、
上記デコードステップで得られた上記複数の画像データに対して編集処理を施す画像データ処理ステップと、
上記画像データ処理ステップで処理された上記複数の画像データを合成した合成画像データに対して圧縮符号化を行って上記第２の圧縮符号化データを生成すると共に、上記画像データ処理ステップで処理された上記複数の画像データから選択された、該複数の画像データを代表する代表画像データである単一の画像データに対して圧縮符号化を行って上記第１の圧縮符号化データを生成するエンコードステップと、
上記エンコードステップで生成された上記第１の圧縮符号化データを含む上記第１の画像ファイルを生成すると共に、上記エンコード部で生成された上記第２の圧縮符号化データを含む上記第２の画像ファイルを生成するファイル生成ステップと、
上記ファイル生成ステップで生成された上記第１の画像ファイルおよび上記第２の画像ファイルを関連付けて、上記記録媒体に書き込むファイル書き込みステップと
を備えることを特徴とする編集方法。
【発明の詳細な説明】
【技術分野】
【０００１】
この発明は、立体視用画像を表示するための多視点の画像データ、例えば左右の画像データを取り扱う際に適用して好適な記録装置、記録方法、記録媒体、再生装置、再生方法、編集装置および編集方法に関する。
【０００２】
詳しくは、この発明は、互いに異なる視点で被写体を撮像して得られた複数の画像データを含む画像ファイルの他に、所定の視点で被写体を撮像して得られた単一の画像データを含む画像ファイルを生成し、これらのファイルを関連付けて記録媒体に書き込むことにより、立体視用画像の表示が可能な再生装置にあっては立体視用画像を表示でき、立体視用画像の表示が不可能な再生装置にあっても良好な画像表示が可能となるようにした記録装置等に係るものである。
【背景技術】
【０００３】
従来、デジタルスチルカメラ、撮像機能を有するＰＤＡ(Personal Digital Assistants)、携帯電話機等に代表される撮像機能を有する小型の電子機器が知られている。これらの電子機器において、撮像して得られた画像データは、例えば、ＤＣＦ(Design rule for Camera File system)等の所定の規格に基づいてファイル化されて、保存される（例えば、特許文献１参照）。
【０００４】
ＤＣＦは、日本電子工業振興協会（JEIDA(JapaneseElectronic Industry Development Association )）で制定された規格であり、Exif-JPEG（Exchangeable Image File Format -Joint Photographic Experts Group）を基本に、フォルダ構造やメモリへの記録様式などを定義しており、異機種間での互換性を保証している。ＤＣＦに対応したデジタルスチルカメラ同士ならば、メーカーや機種が異なっていても画像を交換でき、記録メディアを対応プリンタに接続するだけでパソコンを介さずに印刷することができる。また、ＤＣＦ形式の画像ファイルには撮影機種や撮影日、サムネイルなどの情報も格納されている。
【特許文献１】特開２００４−２０８１２３号公報
【発明の開示】
【発明が解決しようとする課題】
【０００５】
近年、上述した撮像機能を有する電子機器において、立体視用画像を表示するために、多視点、例えば左右の視点で撮像して、左右の画像データを得ることが提案されている。この場合、左右の画像データをどのようにファイル化して記録媒体に記録するかが問題となる。例えば、左右の画像データを合成し、当該合成画像データを含む画像ファイルをＤＣＦ基本ファイルとして記録媒体に書き込むことが提案されている。しかし、この提案の場合、立体視用画像を表示不可能な再生装置においては、左右画像が並んで存在する合成画像が表示されてしまうという不都合がある。
【０００６】
この発明の目的は、立体視用画像の表示が可能な再生装置にあっては立体視用画像を表示でき、立体視用画像の表示が不可能な再生装置にあっても良好な画像表示を可能にすることにある。
【課題を解決するための手段】
【０００７】
この発明の概念は、
所定の視点で被写体を撮像して得られた単一の画像データに対して圧縮符号化を行って第１の圧縮符号化データを生成すると共に、互いに異なる視点で上記被写体を撮像して得られた複数の画像データを合成した合成画像データに対して圧縮符号化を行って第２の圧縮符号化データを生成するエンコード部と、
上記エンコード部で生成された上記第１の圧縮符号化データを含む第１の画像ファイルを生成すると共に、上記エンコード部で生成された上記第２の圧縮符号化データを含む第２の画像ファイルを生成するファイル生成部と、
上記ファイル生成部で生成された上記第１の画像ファイルおよび上記第２の画像ファイルを関連付けて記録媒体に書き込むファイル書き込み部と
を備えることを特徴とする記録装置にある。
【０００８】
この発明において、エンコード部により、第１の圧縮符号化データおよび第２の圧縮符号化データが生成される。第１の圧縮符号化データは、所定の視点で被写体を撮像して得られた単一の画像データに対して圧縮符号化が行われることで生成される。第２の圧縮符号化データは、互いに異なる視点で被写体を撮像して得られた複数の画像データ、例えば、左右の視点で被写体を撮像して得られた左右の画像データを合成した合成画像データに対して圧縮符号化が行われることで生成される。例えば、単一の画像データは、複数の画像データから選択される、当該複数の画像データを代表する代表画像データとされてもよい。この場合、複数の画像データだけがあればよく、その他の画像データを用意することが不要となる。
【０００９】
また、ファイル生成部により、第１の圧縮符号化データを含む第１の画像ファイルおよび第２の圧縮符号化データを含む第２の画像ファイルが生成される。例えば、第１の画像ファイルはメタデータを含むものとされ、上述したように単一の画像データが複数の画像データから選択されるものであるとき、メタデータに、単一の画像データが複数の画像データのいずれであるかを示す情報を含むようにされてもよい。この場合、当該情報により、第１の画像ファイルに含まれる単一の画像データが、第２の画像ファイルに含まれる複数の画像データのいずれであるかを、メタデータから容易に把握可能となる。
【００１０】
また、例えば、第２の画像ファイルはメタデータを含むものとされ、上述したように単一の画像データが複数の画像データから選択されるものであるとき、メタデータに、単一の画像データとして選択することが望まれる画像データが複数の画像データのいずれであるかを示す情報を含むようにされてもよい。この場合、当該情報により、第１の画像ファイルに含める単一の画像データとして、複数の画像データのうちのいずれが望まれているかを容易に把握可能となる。
【００１１】
例えば、第１の画像ファイルはメタデータを含むものとされ、当該メタデータに第２の画像ファイルのファイル名を含ませるようにされてもよい。この場合、第１の画像ファイルのメタデータから第２の画像ファイルのファイル名を容易に把握可能となる。また、例えば、第２の画像ファイルはメタデータを含むものとされ、当該メタデータに第１の画像ファイルのファイル名を含ませるようにされてもよい。この場合、第２の画像ファイルのメタデータから第１の画像ファイルのファイル名を容易に把握可能となる。
【００１２】
例えば、第１の画像ファイルはＤＣＦ基本ファイルまたはＤＣＦ拡張画像ファイルとして生成され、第２の画像ファイルはＤＣＦ拡張画像ファイルまたはＤＣＦ基本ファイルとして生成されるようにしてもよい。ＤＣＦ基本ファイルとＤＣＦ拡張画像ファイルとの区別はファイル名の拡張子により区別される。すなわち、ＤＣＦ基本ファイルのファイル名の拡張子は「JPG」とされ、ＤＣＦ拡張画像ファイルのファイル名の拡張子は、「JPG」、「THM」以外とされる。
【００１３】
例えば、第１の画像ファイルおよび第２の画像ファイルのうち、いずれをＤＣＦ基本ファイルとし、いずれをＤＣＦ拡張画像ファイルとするかを、ユーザが選択するためのユーザ操作部をさらに備えるようにされてもよい。この場合、例えば、立体視画像の表示が可能で、最初にＤＣＦ基本ファイルが再生される再生装置にあっては、複数の画像データを含む第２の画像ファイルがＤＣＦ基本ファイルであれば、当該第２の画像ファイルが最初に再生され、立体視用画像の表示が迅速に行われるようになる。
【００１４】
また、ファイル書き込み部により、第１の画像ファイルおよび第２の画像ファイルが関連付けされて記録媒体に書き込まれる。例えば、上述のように第１の画像ファイルおよび第２の画像ファイルの一方がＤＣＦ基本ファイルとされ、他方がＤＣＦ拡張画像ファイルとされる場合、第１の画像ファイルおよび第２の画像ファイルは記録媒体の同一のＤＣＦディレクトリ内に書き込まれる。
【００１５】
上述のように、この発明は、互いに異なる視点で被写体を撮像して得られた複数の画像データを含む第２の画像ファイルの他に、所定の視点で被写体を撮像して得られた単一の画像データを含む第１の画像ファイルを生成し、これらのファイルを関連付けて記録媒体に書き込んでおくものであり、立体視用画像の表示が可能な再生装置にあっては立体視用画像を表示でき、立体視用画像の表示が不可能な再生装置にあっても良好な画像表示が可能となる。
【００１６】
また、この発明の概念は、
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが関連付けされて記録されている
ことを特徴とする記録媒体にある。
【００１７】
この発明においては、互いに異なる視点で被写体を撮像して得られた複数の画像データを含む第２の画像ファイルの他に、所定の視点で被写体を撮像して得られた単一の画像データを含む第１の画像ファイルが記録されている。そのため、立体視用画像の表示が可能な再生装置にあっては、第２の画像ファイルを用いて、立体視用画像の表示を良好に行うことができ、一方、立体視用画像の表示が不可能な再生装置にあっては、第１の画像ファイルを用いて、良好な画像表示が可能となる。
【００１８】
また、この発明の概念は、
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが、関連付けされて記録されている記録媒体を取り扱う再生装置であって、
上記記録媒体から、少なくとも、上記第１の画像ファイルまたは上記第２の画像ファイルを読み出すファイル読み出し部と、
上記ファイル読み出し部で読み出された画像ファイルに含まれる圧縮符号化データを復号化して画像データを得るデコード部と、
上記デコード部で得られた画像データによる画像を表示する画像表示部と
を備えることを特徴とする再生装置にある。
【００１９】
この発明においては、記録媒体から、少なくとも、第１の画像ファイルまたは第２の画像ファイルの読み出しが行われて、画像表示が行われる。例えば、第１の画像ファイルに含まれる単一の画像データによる画像が表示された後に、第２の画像ファイルに含まれる複数の画像データによる立体視用画像の表示が行われる。また、例えば、第１の画像ファイルに含まれる単一の画像データによる画像が表示されることなく、第２の画像ファイルに含まれる複数の画像データによる立体視用画像の表示が行われる。
【００２０】
また、この発明の概念は、
所定の視点で被写体を撮像して得られた単一の画像データに対して圧縮符号化を行って生成された第１の圧縮符号化データを含む第１の画像ファイルと、互いに異なる視点で上記被写体を撮像して得られた複数の画像データを合成した合成画像データに対して圧縮符号化を行って生成された第２の圧縮符号化データを含む第２の画像ファイルとが、関連付けされて記録されている記録媒体を取り扱う編集装置であって、
上記記録媒体から少なくとも上記第２の画像ファイルを読み出すファイル読み出し部と、
上記ファイル読み出し部で読み出された上記第２の画像ファイルに含まれる上記第２の圧縮符号化データを復号化して上記複数の画像データを得るデコード部と、
上記デコード部で得られた上記複数の画像データに対して編集処理を施す画像データ処理部と、
上記画像データ処理部で処理された上記複数の画像データを合成した合成画像データに対して圧縮符号化を行って上記第２の圧縮符号化データを生成すると共に、上記複数の画像データから選択された、該複数の画像データを代表する代表画像データである単一の画像データに対して圧縮符号化を行って上記第１の圧縮符号化データを生成するエンコード部と、
上記エンコード部で生成された上記第１の圧縮符号化データを含む上記第１の画像ファイルを生成すると共に、上記エンコード部で生成された上記第２の圧縮符号化データを含む上記第２の画像ファイルを生成するファイル生成部と、
上記ファイル生成部で生成された上記第１の画像ファイルおよび上記第２の画像ファイルを関連付けて記録媒体に書き込むファイル書き込み部と
を備えることを特徴とする編集装置にある。
【００２１】
この発明においては、記録媒体から第２の画像ファイルが読み出され、この第２の画像ファイルに含まれる複数の画像データに対して編集処理が施される。編集処理は、例えば、画像の一部を切り出す処理、画像の一部を拡大する処理、画像を縮小する処理、画像の明度、彩度、色相等を変更する処理などである。そして、編集処理が施された複数の画像データが含まれた第２の画像ファイルが生成され、また、編集処理された複数の画像データから選択された単一の画像データが含まれた第１の画像ファイルが生成され、これら第１、第２の画像ファイルが記録媒体に書き込まれる。このように編集処理後の単一の画像データとして、編集処理後の複数の画像データから選択されたものを用いるものであり、編集処理後の第１の画像ファイルに含まれる単一の画像データと、第２の画像ファイルに含まれる複数の画像データとは整合性のとれたものとなる。
【発明の効果】
【００２２】
この発明によれば、互いに異なる視点で被写体を撮像して得られた複数の画像データを含む画像ファイルの他に、所定の視点で被写体を撮像して得られた単一の画像データを含む画像ファイルを生成し、これらのファイルを関連付けて記録媒体に書き込むものであり、立体視用画像の表示が可能な再生装置にあっては立体視用の画像を表示でき、立体視用画像の表示が不可能な再生装置にあっても良好な画像表示が可能となる。
【発明を実施するための最良の形態】
【００２３】
以下、図面を参照しながら、この発明の実施の形態について説明する。以下、記録装置、再生装置、編集装置の順に説明する。
【００２４】
Ａ．記録装置
【００２５】
図１は、記録装置１００の構成例を示している。この記録装置１００は、制御部１０１と、ユーザ操作部１０２と、表示部１０３と、画像データ取り込み部１０４と、画像データ処理部１０５と、エンコーダ１０６と、ファイル生成部１０７と、ファイル書き込み部１０８とを有している。
【００２６】
制御部１０１は、記録装置１００の各部の動作を制御する。ユーザ操作部１０２および表示部１０３は、ユーザインタフェースを構成しており、制御部１０１に接続されている。ユーザ操作部１０２は、記録装置１００の図示しない筐体に配置されたキーまたはボタン、あるいは表示部１０３の表示面に配置されたタッチパネル等により構成されている。表示部１０３は、記録装置１００の図示しない筐体に配置されたＬＣＤ(Liquid Crystal Display)等の表示素子により構成されている。
【００２７】
画像データ取り込み部１０４は、立体視用画像を表示するための、互いに異なる視点で被写体を撮像して得られた複数の画像データ、この実施の形態においては左右の視点で被写体を撮像して得られた左右の画像データを取り込む。
【００２８】
この画像データ取り込み部１０４は、例えば、カメラにより構成される。１台のカメラにより構成される場合、アダプタ（レンズスプリッタ、ミラーなど）を用いることで、左右の画像データを、合成された状態で一度の撮像で得ることが可能となる。また、１台のカメラにより構成される場合、当該一台のカメラを左右の視点に順次移動させて撮像を行うことで、左右の画像データを順次得ることが可能となる。また、２台のカメラにより構成される場合、当該２台のカメラを左右の視点に配置して撮像を行うことで、左右の画像データを同時に得ることができる。
【００２９】
また、画像データ取り込み部１０４は、例えば、画像データを入力する端子により構成される。当該端子には、他の装置で生成された左右の画像データが入力される。この左右の画像データには、カメラで撮像して得られた左右の画像データ、あるいはＣＧ(Computer Graphics)により生成された左右の画像データ等も含まれる。
【００３０】
画像データ処理部１０５は、画像データ取り込み部１０４で取り込まれた左右の画像データを合成して合成画像データを生成する。この画像データ処理部１０５では、例えば、各ラインの左側に左側画像データが配置され、各ラインの右側に右側画像が配置されて、合成画像データが生成される。
【００３１】
エンコーダ１０６は、画像データ１０４で取り込まれた左右の画像データから選択された一方の画像データ（左右の画像データを代表する代表画像データである単一の画像データ）に対して、ＪＰＥＧの圧縮符号化を施し、第１の圧縮符号化データを生成する。また、エンコーダ１０６は、画像データ処理部１０５で生成された合成画像データに対して、ＪＰＥＧの圧縮符号化を施し、第２の圧縮符号化データを生成する。
【００３２】
ファイル生成部１０７は、エンコーダ１０６で生成された第１の圧縮符号化データを含む第１の画像ファイルを、ＤＣＦ基本ファイルとして生成する。また、ファイル生成部１０７は、エンコーダ１０６で生成された第２の圧縮符号化データを含む第２の画像ファイルを、ＤＣＦ拡張画像ファイルとして生成する。
【００３３】
ここで、図２を参照して、ＤＣＦ基本ファイルとＤＣＦ拡張画像ファイルとの関係を説明する。ＤＣＦ基本ファイルおよびＤＣＦ拡張画像ファイルは、同一のＤＣＦディレクトリの下に存在する。なお、ＤＣＦディレクトリは、図示しないが、ルートディレクトリの下に存在するＤＣＩＭというディレクトリの下に存在している。
【００３４】
ＤＣＦファイル（ＤＣＦ基本ファイル、ＤＣＦ拡張画像ファイル等）のファイル名は、図３に示すように、「４個の文字＋４桁の数字＋拡張子」により構成される。４個の文字は、アルファベットの大文字、数字、アンダーバーを組み合わせた任意の文字列であり、自由文字という。４桁の数字は０００１〜９９９９の番号であり、ファイル番号という。また、ＤＣＦ基本ファイルの拡張子は「JPG」とされ、ＤＣＦ拡張画像ファイルの拡張子は「JPG」、「THM」以外とされる。
【００３５】
同一ＤＣＦディレクトリ内にあり、同一ファイル番号を持つファイル群をＤＣＦオブジェクトという。ファイル生成部１０７で生成される上述のＤＣＦ基本ファイルおよびＤＣＦ拡張画像ファイルは、ＤＣＦオブジェクトを構成するようにファイル名が付される。例えば、図２に示すように、ＤＣＦ基本ファイル（第１の画像ファイル）のファイル名が「ABCD0001.JPG」であるとき、ＤＣＦ拡張画像ファイル（第２の画像ファイル）のファイル名は「EFGH0001.XXX」のようにファイル番号が同一のものとされる。
【００３６】
図４は、ＤＣＦ基本ファイルとＤＣＦ拡張画像ファイルの構成例を示している。ＤＣＦ基本ファイル（第１の画像ファイル）は、ＳＯＩ(Start Of Image)と、メタデータと、ＪＰＥＧ圧縮画像データ（第１の圧縮符号化データ）と、ＥＯＩ(End Of Image)とからなっている。メタデータには、撮影条件等の画像情報、単一の画像データが左右の画像データのうちのいずれであるかを示す情報（代表した画像の情報）、およびＤＣＦ拡張画像ファイルのファイル名が含まれている。
【００３７】
また、ＤＣＦ拡張画像ファイル（第２の画像ファイル）は、ＳＯＩと、メタデータと、ＪＰＥＧ圧縮画像データ（第２の圧縮符号化データ）と、ＥＯＩとからなっている。メタデータには、撮影条件等の画像情報、立体視情報、上述のＤＣＦ基本ファイルに含める単一の画像データとして、左右の画像データのうちのいずれが望まれるかを示す情報（代表して欲しい画像の情報）、およびＤＣＦ基本ファイルのファイル名が含まれている。
【００３８】
なお、上述したように、ＤＣＦ拡張画像ファイルのメタデータに含まれる「代表して欲しい画像の情報」と、ＤＣＦ基本ファイルのメタデータに含まれる「代表した画像の情報」とは、一致しないこともある。
【００３９】
上述したように、ＤＣＦ基本ファイルのメタデータおよびＤＣＦ拡張画像ファイルのメタデータに単一の画像データが左右の画像データのうちのいずれであるかを示す代表画像情報が含まれているので、単一の画像データが左右の画像データのうちのいずれであるかを、メタデータから容易に把握可能となる。
【００４０】
また、上述したように、ＤＣＦ基本ファイルのメタデータにＤＣＦ拡張画像ファイルのファイル名が含まれていると共に、ＤＣＦ拡張画像ファイルのメタデータにＤＣＦ基本ファイルのファイル名が含まれているので、ＤＣＦ基本ファイルのメタデータからＤＣＦ拡張画像ファイルのファイル名を容易に把握可能となり、同様に、ＤＣＦ拡張画像ファイルのメタデータからＤＣＦ基本ファイルのファイル名を容易に把握可能となる。
【００４１】
図１に戻って、ファイル書き込み部１０８は、ファイル生成部１０７で生成された第１の画像ファイル（ＤＣＦ基本ファイル）および第２の画像ファイル（ＤＣＦ拡張画像ファイル）を、メモリカード１０９に、関連付けて書き込む。この場合、第１の画像ファイルおよび第２の画像ファイルは、メモリカード１０９の同一のＤＣＦディレクトリ内に書き込まれる。メモリカード１０９は、記録媒体を構成している。
【００４２】
図１に示す記録装置１００の動作を説明する。
【００４３】
画像データ取り込み部１０４では、左右の視点で被写体を撮像して得られた左右の画像データの取り込みが行われる。この画像データ取り込み部１０４で取り込まれた左右の画像データは画像データ処理部１０５に供給される。この画像データ処理部１０５では、左右の画像データが合成されて合成画像データが生成される。
【００４４】
画像データ取り込み部１０４で取り込まれた左右の画像データのうち一方の画像データは、当該左右の画像データを代表する代表画像データ（単一の画像データ）としてエンコーダ１０６に供給される。また、画像データ処理部１０５で生成された合成画像データは、エンコーダ１０６に供給される。このエンコーダ１０６では、単一の画像データに対して、ＪＰＥＧの圧縮符号化が施され、第１の圧縮符号化データが生成される。また、このエンコーダ１０６では、合成画像データに対して、ＪＰＥＧの圧縮符号化が施され、第２の圧縮符号化データが生成される。
【００４５】
エンコーダ１０６で生成された第１の圧縮符号化データおよび第２の圧縮符号化データはファイル生成部１０７に供給される。ファイル生成部１０７では、第１の圧縮符号化データ（ＪＰＥＧ圧縮画像データ）を含む第１の画像ファイルが、ＤＣＦ基本ファイルとして生成される。この場合、図４に示すように、第１の圧縮符号化データに、画像情報、代表した画像の情報、ＤＣＦ拡張画像ファイルのファイル名等を含むメタデータが付加され、さらに前後にＳＯＩ，ＥＯＩが付加されることで、ＤＣＦ基本ファイル（第１の画像ファイル）が生成される。
【００４６】
また、ファイル生成部１０７では、第２の圧縮符号化データ（ＪＰＥＧ圧縮画像データ）を含む第２の画像ファイルが、ＤＣＦ拡張画像ファイルとして生成される。この場合、図４に示すように、第２の圧縮符号化データに、画像情報、立体視情報、代表して欲しい画像の情報、ＤＣＦ基本ファイルのファイル名等を含むメタデータが付加され、さらに前後にＳＯＩ，ＥＯＩが付加されることで、ＤＣＦ拡張画像ファイル（第２の画像ファイル）が生成される。
【００４７】
ファイル生成部１０７で生成される第１の画像ファイル（ＤＣＦ基本ファイル）および第２の画像ファイル（ＤＣＦ拡張画像ファイル）は、ファイル書き込み部１０８に供給される。ファイル書き込み部１０８では、ファイル生成部１０７で生成された第１の画像ファイルおよび第２の画像ファイルが、メモリカード１０９に関連付けされて、書き込まれる。この場合、第１の画像ファイルおよび第２の画像ファイルは、メモリカード１０９の同一のＤＣＦディレクトリ内に書き込まれる。
【００４８】
上述したように、図１に示す記録装置１００においては、左右の画像データを含む第２の画像ファイル（ＤＣＦ拡張画像ファイル）の他に、単一の画像データを含む第１の画像ファイル（ＤＣＦ基本ファイル）が記録されている。そのため、立体視用画像の表示が可能な再生装置にあっては、第２の画像ファイルを用いて、立体視用画像の表示を良好に行うことができ、一方、立体視用画像の表示が不可能な再生装置にあっては、第１の画像ファイルを用いて、良好な画像表示が可能となる。
【００４９】
また、図１に示す記録装置１００においては、第１の画像ファイル（ＤＣＦ基本ファイル）に含まれる単一の画像データは、第２の画像ファイル（ＤＣＦ拡張画像ファイル）に含まれる左右の画像データから選択された一方の画像データである。そのため、画像データ取り込み部１０４では、左右の画像データだけを取り込めばよく、単一の画像データ専用の画像データの取り込みは不要となる。
【００５０】
なお、図１に示す記録装置１００においては、ファイル生成部１０７では、第１の画像ファイルがＤＣＦ基本ファイルとして生成され、第２の画像ファイルがＤＣＦ拡張画像ファイルとして生成されるものを示したが、第１の画像ファイルおよび第２の画像ファイルのうち、いずれをＤＣＦ基本ファイルとし、いずれをＤＣＦ拡張画像ファイルとするかを、ユーザが選択可能に構成することもできる。この場合、ユーザは、ユーザ操作部１０２により選択操作を行う。
【００５１】
第２の画像ファイルをＤＣＦ基本ファイルとし、第１の画像ファイルをＤＣＦ拡張画像ファイルとする旨の選択がされた場合、ファイル生成部１０７では、上述の動作とは逆に、第１の画像ファイルがＤＣＦ拡張画像ファイルとして生成され、第２の画像ファイルがＤＣＦ基本ファイルとして生成される。この場合、例えば、立体視画像の表示が可能で、最初にＤＣＦ基本ファイルが再生される再生装置にあっては、左右の画像データが含まれる第２の画像ファイルが最初に再生されることとなり、立体視画像の表示が迅速に行われるようになる。
【００５２】
図５のフローチャートは、図１の記録装置１００の制御部１０１における記録制御の一例を示している。
【００５３】
制御部１０１は、ステップＳＴ１において、記録制御を開始し、その後に、ステップＳＴ２に移る。そして、制御部１０１は、ステップＳＴ２において、画像データ取り込み部１０４により、左画像データの取り込みを行う。その後、制御部１０１は、ステップＳＴ３において、画像データ取り込み部１０４により、右画像データの取り込みを行う。
【００５４】
次に、制御部１０１は、ステップＳＴ４において、画像データ処理部１０５により、左右の画像データを合成した合成画像データを生成する。その後、制御部１０１は、ステップＳＴ５において、エンコーダ１０６により、ステップＳＴ４で生成した合成画像データに対してＪＰＥＧの圧縮符号化を行い、第２の圧縮符号化データ（ＪＰＥＧ圧縮画像データ）を生成する。
【００５５】
次に、制御部１０１は、ステップＳＴ６において、ステップＳＴ５で生成した第２の圧縮符号化データを含む第２の画像ファイルを、ＤＣＦ拡張画像ファイル（拡張子は「XXX」）、あるいはＤＣＦ基本ファイル（拡張子は「JPG」）として生成する。そして、制御部１０１は、ステップＳＴ７において、ファイル書き込み部１０８により、ステップＳＴ６で生成した第２の画像ファイルを、メモリカード１０９内の所定のＤＣＦディレクトリに書き込む。
【００５６】
次に、制御部１０１は、ステップＳＴ８において、エンコーダ１０６により、ステップＳＴ２で取り込んだ左画像データ、あるいはステップＳＴ３で取り込んだ右画像データに対してＪＰＥＧの圧縮符号化を行い、第１の圧縮符号化データ（ＪＰＥＧ圧縮画像データ）を生成する。
【００５７】
次に、制御部１０１は、ステップＳＴ９において、ステップＳＴ８で生成した第１の圧縮符号化データを含む第１の画像ファイルを、ＤＣＦ基本ファイル（拡張子は「JPG」）、あるいはＤＣＦ拡張画像ファイル（拡張子は「XXX」）として生成する。そして、制御部１０１は、ステップＳＴ１０において、ファイル書き込み部１０８により、ステップＳＴ９で生成した第１の画像ファイルを、メモリカード１０９内の、上述した所定のＤＣＦディレクトリに書き込む。
【００５８】
制御部１０１は、ステップＳＴ１０の処理の後、ステップＳＴ１１において、記録制御を終了する。
【００５９】
Ｂ．再生装置
【００６０】
図６は、再生装置２００の構成例を示している。この再生装置２００は、制御部２０１と、ユーザ操作部２０２と、表示部２０３と、ファイル読み出し部２０４と、ファイル分解部２０６と、デコーダ２０７と、画像データ処理部２０８と、ディスプレイ２０９とを有している。
【００６１】
制御部２０１は、再生装置２００の各部の動作を制御する。ユーザ操作部２０２および表示部２０３は、ユーザインタフェースを構成しており、制御部２０１に接続されている。ユーザ操作部２０２は、再生装置２００の図示しない筐体に配置されたキーまたはボタン、あるいは表示部２０３の表示面に配置されたタッチパネル等により構成されている。表示部２０３は、再生装置２００の図示しない筐体に配置されたＬＣＤ等の表示素子により構成されている。
【００６２】
メモリカード２０５は、記録媒体を構成している。このメモリカード２０５は、上述した記録装置１００におけるメモリカード１０９に対応したものである。このメモリカード２０５には、単一の画像データを含む第１の画像ファイルと、左右の画像データを含む第２の画像ファイルとが、関連付けされて記録されている。例えば、第１の画像ファイルはＤＣＦ基本ファイルあるいはＤＣＦ拡張画像ファイルであり、これに対して第２の画像ファイルはＤＣＦ拡張画像ファイルあるいはＤＣＦ基本ファイルであり、これら第１の画像ファイルおよび第２の画像ファイルは、ＤＣＦオブジェクトを構成した状態で、メモリカード２０５に記録されている。
【００６３】
ファイル読み出し部２０４は、メモリカード２０５が装着されるとき、当該メモリカード２０５からファイル管理情報を読み出し、制御部２０１に供給する。制御部２０１は、当該管理情報に基づいて、メモリカード２０５に記録されているファイルのファイル名を表示する表示信号を表示部２０３に供給し、当該表示部２０３にファイル名を表示させる。ユーザは、ユーザ操作部２０２により、表示部２０３に表示されているファイル名を参照して、再生すべきＤＣＦオブジェクトを選択できる。
【００６４】
ファイル読み出し部２０４は、上述のようにユーザが選択したＤＣＦオブジェクトに係るＤＣＦファイルを読み出す。ファイル読み出し部２０４は、再生制御に応じて、第１の画像ファイルおよび第２の画像ファイルいずれか、あるいは双方を読み出す。なお、上述したように、第１の画像ファイルがＤＣＦ基本ファイルで第２の画像ファイルがＤＣＦ拡張画像ファイルである場合と、その逆の場合とがある。再生制御の詳細については、後述する。
【００６５】
ファイル分解部２０６は、ファイル読み出し部２０４で読み出されたＤＣＦファイル（ＤＣＦ基本ファイル、ＤＣＦ拡張画像ファイル）を分解し、メタデータを制御部２０１に供給し、ＪＰＥＧ圧縮画像データを、必要に応じて、デコーダ２０７に供給する。デコーダ２０７は、ファイル分解部２０６から供給されるＪＰＥＧ圧縮画像データに対して復号化を行って、画像データを得る。ここで、ＪＰＥＧ圧縮画像データが第１の画像ファイルに含まれる第１の圧縮符号化データである場合、デコーダ２０７では、単一の画像データが得られる。一方、ＪＰＥＧ圧縮画像データが第２の画像ファイルに含まれる第２の圧縮符号化データである場合、デコーダ２０７では、合成画像データ、従って左右の画像データが得られる。
【００６６】
画像データ処理部２０８は、デコーダ２０７で得られる画像データが左右の画像データである場合、当該左右の画像データの画素の並べ替え等の処理、つまり立体視用画像を表示するための画像データを得る処理を行う。ディスプレイ２０９は、例えば、ＬＣＤ、ＰＤＰ等により構成されるフラットパネルディスプレイである。このディスプレイ２０９は、デコーダ部２０７で得られる単一の画像データによる画像、あるいは、画像データ処理部２０８で得られる画像データによる立体視用画像を表示する。
【００６７】
図６に示す再生装置２００の動作を説明する。
【００６８】
ファイル読み出し部２０４では、ユーザが選択したＤＣＦオブジェクトに係るＤＣＦファイル（ＤＣＦ基本ファイル、ＤＣＦ拡張画像ファイル）の読み出しが行われる。この場合、ファイル読み出し部２０４では、再生制御に応じて、第１の画像ファイルおよび第２の画像ファイルのいずれかあるいは双方が読み出される。ここで、第１の画像ファイルには単一の画像データが含まれており、第２の画像ファイルには左右の画像データが含まれている。ファイル読み出し部２０４で読み出されたＤＣＦファイルはファイル分解部２０６に供給される。
【００６９】
ファイル分解部２０６では、ファイル読み出し部２０４で読み出されたＤＣＦファイルが分解され、メタデータおよびＪＰＥＧ圧縮画像データが得られる。メタデータは制御部２０１に供給される。制御部２０１は、当該メタデータから、ファイル読み出し部２０４で読み出されたＤＣＦファイルについての種々の情報を得ることができる。ＪＰＥＧ圧縮画像データは、必要に応じて、デコーダ２０７に供給される。すなわち、ＪＰＥＧ圧縮画像データが左右の画像データに係る第２の圧縮符号化データである場合には必ずデコーダ２０７に供給されるが、ＪＰＥＧ圧縮画像データが単一の画像データに係る第１の圧縮符号化データである場合、当該単一の画像データによる画像を表示する場合のみ、デコーダ２０７に供給される。
【００７０】
デコーダ２０７では、ファイル分解部２０６から供給されるＪＰＥＧ圧縮画像データに対して復号化が行われ、画像データが得られる。ここで、ＪＰＥＧ圧縮画像データが第１の画像ファイルに含まれる第１の圧縮符号化データである場合、デコーダ２０７では、単一の画像データが得られる。一方、ＪＰＥＧ圧縮画像データが第２の画像ファイルに含まれる第２の圧縮符号化データである場合、デコーダ２０７では、合成画像データ、従って左右の画像データが得られる。
【００７１】
デコーダ２０７で得られる単一の画像データは、画像データ処理部２０８で処理されることなくディスプレイ２０９に供給される。そして、ディスプレイ２０９には、当該単一の画像データによる画像（静止画像）が表示される。また、デコーダ２０７で得られる左右の画像データは画像データ処理部２０８に供給される。画像データ処理部２０８では、左右の画像データの画素の並べ替え処理等が行われて、立体視用画像を表示するための画像データが得られる。この画像データはディスプレイ２０９に供給され、当該ディスプレイ２０９には、立体視用画像（静止画像）が表示される。
【００７２】
図７のフローチャートは、図６の再生装置２００の制御部２０１における再生制御の一例を示している。なお、この再生制御例は、メモリカード２０５に、第１の画像ファイルがＤＣＦ基本ファイルとして記録されており、第２の画像ファイルがＤＣＦ拡張画像ファイルとして記録されている場合に適用される。
【００７３】
制御部２０１は、ステップＳＴ２１において、再生制御を開始し、その後に、ステップＳＴ２２に移る。そして、制御部２０１は、ステップＳＴ２２において、画像データ読み出し部２０４により、メモリカード２０５からＤＣＦ基本ファイル（第１の画像ファイル）の読み出しを行う。
【００７４】
次に、制御部２０１は、ステップＳＴ２３において、ファイル分解部２０６により、ステップＳＴ２２で読み出したＤＣＦ基本ファイルを分解し、メタデータおよびＪＰＥＧ圧縮画像データ（第１の圧縮符号化データ）を得る。また、制御部２０１は、ステップＳＴ２３において、デコーダ２０７により、第１の圧縮符号化データを復号化（デコード）して、単一の画像データを得る。そして、制御部２０１は、ステップＳＴ２４において、ディスプレイ２０９に、ステップＳＴ２３で得られた単一の画像データによる画像（静止画像）を表示する。
【００７５】
次に、制御部２０１は、ステップＳＴ２５において、メモリカード２０５に対応するＤＣＦ拡張画像ファイル（自機で立体表示再生可能）があるか否かを判定する。ＤＣＦ拡張画像ファイルが存在する場合、上述の図４に示すように、ＤＣＦ基本ファイルのメタデータに当該ＤＣＦ拡張画像ファイルのファイル名等が含まれている。したがって、制御部２０１は、ＤＣＦ基本ファイルのメタデータに基づいて、メモリカード２０５に対応するＤＣＦ拡張画像ファイルがあるか否かを判定できる。
【００７６】
制御部２０１は、ＤＣＦ拡張画像ファイルがあると判定するとき、ステップＳＴ２６において、ファイル読み出し部２０４により、メモリカード２０５からＤＣＦ拡張画像ファイルを読み出す。そして、制御部２０１は、ステップＳＴ２７において、ファイル分解部２０６により、ステップＳＴ２６で読み出したＤＣＦ拡張画像ファイルを分解し、メタデータおよびＪＰＥＧ圧縮画像データ（第２の圧縮符号化データ）を得る。また、制御部２０１は、ステップＳＴ２７において、デコーダ２０７により、第２の圧縮符号化データを復号化（デコード）して、左右の画像データを得る。
【００７７】
次に、制御部２０１は、ステップＳＴ２８において、画像データ処理部２０８により、ステップＳＴ２７で得られた左右の画像データを処理し、立体視用画像を表示するための画像データを得る。そして、制御部２０１は、ステップＳＴ２９において、ディスプレイ２０９に、ステップＳＴ２８で得られた画像データによる立体視用画像（静止画像）を表示する。このとき、ディスプレイ２０９における画像表示は、単一の画像データ（代表画像データ）による画像の表示から、左右の画像データによる立体視用画像の表示に変わる。
【００７８】
制御部２０１は、ステップＳＴ２９の処理の後、ステップＳＴ３０において、再生制御を終了する。なお、上述のステップＳＴ２５でＤＣＦ拡張画像ファイルがないと判定するとき、制御部２０１は、直ちに、ステップＳＴ３０に移り、再生制御を終了する。
【００７９】
なお、図７のフローチャートに示す再生制御例では、単一の画像データ（代表画像データ）による画像の表示から、左右の画像データによる立体視用画像の表示に自動的に移行するものを示した。しかし、立体視用画像の表示モードのオンオフの設定をユーザが行えるものも考えられる。その場合、ステップＳＴ２４で単一の画像データによる画像表示を行った後に、立体視用画像の表示モードがオンであるか否かを判定し、オンである場合のみステップＳＴ２５に進み、オフである場合にはステップＳＴ３０に進むように制御が行われるようにしてもよい。
【００８０】
図８のフローチャートは、図６の再生装置２００の制御部２０１における再生制御の他の例を示している。なお、この再生制御例は、メモリカード２０５に、第１の画像ファイルがＤＣＦ基本ファイルとして記録されており、第２の画像ファイルがＤＣＦ拡張画像ファイルとして記録されている場合に適用される。
【００８１】
制御部２０１は、ステップＳＴ４１において、再生制御を開始し、その後に、ステップＳＴ４２に移る。そして、制御部２０１は、ステップＳＴ４２において、画像データ読み出し部２０４により、メモリカード２０５からＤＣＦ基本ファイル（第１の画像ファイル）の読み出しを行う。
【００８２】
次に、制御部２０１は、ステップＳＴ４３において、ファイル分解部２０６により、ステップＳＴ４２で読み出したＤＣＦ基本ファイルを分解し、メタデータおよびＪＰＥＧ圧縮画像データ（第１の圧縮符号化データ）を得る。そして、制御部２０１は、ステップＳＴ４４において、ステップＳＴ４３で得られたメタデータに基づいて、メモリカード２０５に対応するＤＣＦ拡張画像ファイル（自機で立体表示再生可能）があるか否かを判定する。
【００８３】
制御部２０１は、ＤＣＦ拡張画像ファイルがあると判定するとき、ステップＳＴ４５において、ファイル読み出し部２０４により、メモリカード２０５からＤＣＦ拡張画像ファイルを読み出す。そして、制御部２０１は、ステップＳＴ４６において、ファイル分解部２０６により、ステップＳＴ４５で読み出したＤＣＦ拡張画像ファイルを分解し、メタデータおよびＪＰＥＧ圧縮画像データ（第２の圧縮符号化データ）を得る。また、制御部２０１は、ステップＳＴ４６において、デコーダ２０７により、第２の圧縮符号化データを復号化（デコード）して、左右の画像データを得る。
【００８４】
次に、制御部２０１は、ステップＳＴ４７において、画像データ処理部２０８により、ステップＳＴ４６で得られた左右の画像データを処理し、立体視用画像を表示するための画像データを得る。そして、制御部２０１は、ステップＳＴ４８において、ディスプレイ２０９に、ステップＳＴ４７で得られた画像データによる立体視用画像（静止画像）を表示する。
【００８５】
制御部２０１は、ステップＳＴ４８の処理の後、ステップＳＴ４９において、再生制御を終了する。なお、上述のステップＳＴ４４でＤＣＦ拡張画像ファイルがないと判定するとき、制御部２０１は、ステップＳＴ５０において、デコーダ２０７により、ステップＳＴ４３で得られた第１の圧縮符号化データを復号化（デコード）して、単一の画像データを得る。そして、制御部２０１は、ステップＳＴ５１において、ディスプレイ２０９に、ステップＳＴ５０で得られた単一の画像データによる画像（静止画像）を表示する。その後、制御部２０１は、ステップＳＴ４９において、再生制御を終了する。
【００８６】
なお、図８のフローチャートに示す再生制御例では、ＤＣＦ拡張画像データが存在する場合、左右の画像データによる立体視用画像の表示を自動的に行うものを示した。しかし、立体視用画像の表示モードのオンオフの設定をユーザが行えるものも考えられる。その場合、ステップＳＴ４３の処理の後に、立体視用画像の表示モードがオンであるか否かを判定し、オンである場合のみステップＳＴ４４に進み、オフである場合にはステップＳＴ５０に進むように制御が行われるようにしてもよい。
【００８７】
図９のフローチャートは、図６の再生装置２００の制御部２０１における再生制御のさらに他の例を示している。なお、この再生制御例は、メモリカード２０５に、第１の画像ファイルがＤＣＦ基本ファイルとして記録されており、第２の画像ファイルがＤＣＦ拡張画像ファイルとして記録されている場合に適用される。
【００８８】
制御部２０１は、ステップＳＴ６１において、再生制御を開始し、その後に、ステップＳＴ６２に移る。そして、制御部２０１は、ステップＳＴ６２において、画像データ読み出し部２０４により、メモリカード２０５からＤＣＦ拡張画像ファイル（第２の画像ファイル）の読み出しを行う。
【００８９】
次に、制御部２０１は、ステップＳＴ６３において、ファイル分解部２０６により、ステップＳＴ６２で読み出したＤＣＦ拡張画像ファイルを分解し、メタデータおよびＪＰＥＧ圧縮画像データ（第２の圧縮符号化データ）を得る。そして、制御部２０１は、ステップＳＴ６４において、ステップＳＴ６３で得られたメタデータに基づいて、ステップＳＴ６２で読み出したＤＣＦ拡張画像ファイルが、左右の画像データを含む第２の画像ファイルであるか否かを確認する。
【００９０】
第２の画像ファイルであるとの確認がとれたとき、制御部２０１は、ステップＳＴ６５において、デコーダ２０７により、ステップＳＴ６３で得られた第２の圧縮符号化データを復号化（デコード）して、左右の画像データを得る。
【００９１】
次に、制御部２０１は、ステップＳＴ６６において、画像データ処理部２０８により、ステップＳＴ６５で得られた左右の画像データを処理し、立体視用画像を表示するための画像データを得る。そして、制御部２０１は、ステップＳＴ６７において、ディスプレイ２０９に、ステップＳＴ６６で得られた画像データによる立体視用画像（静止画像）を表示する。
【００９２】
制御部２０１は、ステップＳＴ６７の処理の後、ステップＳＴ６８において、再生制御を終了する。なお、上述のステップＳＴ６４で第２の画像ファイルであるとの確認がとれないとき、直ちに、ステップＳＴ６８に移り、再生制御を終了する。
【００９３】
図１０のフローチャートは、立体視用画像の表示が不可能な再生装置の制御部における再生制御の一例を示している。なお、この再生制御例は、メモリカード２０５に、第１の画像ファイルがＤＣＦ基本ファイルとして記録されていることを前提としている。
【００９４】
制御部は、ステップＳＴ８１において、再生制御を開始し、その後に、ステップＳＴ８２に移る。そして、制御部は、ステップＳＴ８２において、メモリカード２０５からＤＣＦ基本ファイル（第１の画像ファイル）の読み出しを行う。
【００９５】
次に、制御部は、ステップＳＴ８３において、ステップＳＴ８２で読み出したＤＣＦ基本ファイルを分解し、メタデータおよびＪＰＥＧ圧縮画像データ（第１の圧縮符号化データ）を得る。また、制御部は、ステップＳＴ８３において、第１の圧縮符号化データを復号化（デコード）して、単一の画像データを得る。そして、制御部は、ステップＳＴ８４において、ディスプレイに、ステップＳＴ８３で得られた単一の画像データによる画像（静止画像）を表示し、その後に、ステップＳＴ８５において、再生制御を終了する。
【００９６】
このように、メモリカード２０５には、左右の画像データを含む第２の画像ファイルの他に、単一の画像データを含む第１の画像ファイルが記録されているので、立体視用画像の表示が可能な再生装置にあっては立体視用の画像を表示でき、一方、立体視用画像の表示が不可能な再生装置においても良好な画像表示を行うことができる。
【００９７】
図１１のフローチャートは、図６の再生装置２００の制御部２０１における再生制御の別の例を示している。なお、この再生制御例は、メモリカード２０５に、第１の画像ファイルがＤＣＦ基本ファイルで第２の画像ファイルがＤＣＦ拡張画像ファイルとして記録されている場合、あるいは第１の画像ファイルがＤＣＦ拡張画像ファイルで第２の画像ファイルがＤＣＦ基本ファイルとして記録されている場合のいずれにも適用される。
【００９８】
制御部２０１は、ステップＳＴ１０１において、再生制御を開始し、その後に、ステップＳＴ１０２に移る。そして、制御部２０１は、ステップＳＴ１０２において、画像データ読み出し部２０４により、メモリカード２０５からＤＣＦ基本ファイルの読み出しを行う。
【００９９】
次に、制御部２０１は、ステップＳＴ１０３において、ファイル分解部２０６により、ステップＳＴ１０２で読み出したＤＣＦ基本ファイルを分解し、メタデータおよびＪＰＥＧ圧縮画像データを得る。そして、制御部２０１は、ステップＳＴ１０４において、ステップＳＴ１０３で得られたメタデータに基づいて、ステップＳＴ１０２で読み出したＤＣＦ基本ファイルが第１の画像ファイルであるか第２の画像ファイルであるかを判定する。上述したように、第１の画像ファイルには単一の画像データに係る第１の圧縮符号化データが含まれており、第２の画像ファイルには左右の画像データに係る第２の圧縮符号化データが含まれている。
【０１００】
制御部２０１は、第１の画像ファイルであると判定するとき、ステップＳＴ１０５において、デコーダ２０７により、ステップＳＴ１０３で得られたＪＰＥＧ圧縮画像データ（第１の圧縮符号化データ）を復号化（デコード）して、単一の画像データを得る。そして、制御部２０１は、ステップＳＴ１０６において、ディスプレイ２０９に、ステップＳＴ１０５で得られた単一の画像データによる画像（静止画像）を表示する。
【０１０１】
次に、制御部２０１は、ステップＳＴ１０７において、メモリカード２０５に対応するＤＣＦ拡張画像ファイルがあるか否かを判定する。ＤＣＦ拡張画像ファイルが存在する場合、Ｄ上述の図４に示すように、ＣＦ基本ファイルのメタデータに当該ＤＣＦ拡張画像ファイルのファイル名等が含まれている。したがって、制御部２０１は、ＤＣＦ基本ファイルのメタデータに基づいて、メモリカード２０５に対応するＤＣＦ拡張画像ファイルがあるか否かを判定できる。
【０１０２】
制御部２０１は、ＤＣＦ拡張画像ファイルがあると判定するとき、ステップＳＴ１０８において、ファイル読み出し部２０４により、メモリカード２０５からＤＣＦ拡張画像ファイルを読み出す。そして、制御部２０１は、ステップＳＴ１０９において、ファイル分解部２０６により、ステップＳＴ１０８で読み出したＤＣＦ拡張画像ファイルを分解し、メタデータおよびＪＰＥＧ圧縮画像データ（第２の圧縮符号化データ）を得る。
【０１０３】
次に、制御部２０１は、ステップＳＴ１１０において、デコーダ２０７により、ステップＳＴ１０９で得られた第２の圧縮符号化データを復号化（デコード）して、左右の画像データを得る。そして、制御部２０１は、ステップＳＴ１１１において、画像データ処理部２０８により、ステップＳＴ１１０で得られた左右の画像データを処理し、立体視用画像を表示するための画像データを得る。
【０１０４】
次に、制御部２０１は、ステップＳＴ１１２において、ディスプレイ２０９に、ステップＳＴ１１１で得られた画像データによる立体視用画像（静止画像）を表示する。そして、制御部２０１は、ステップＳＴ１１２の処理の後に、ステップＳＴ１１３において、再生制御を終了する。
【０１０５】
なお、上述のステップＳＴ１０７でＤＣＦ拡張画像ファイルがないと判定するとき、制御部２０１は、直ちに、ステップＳＴ１１３に移り、再生制御を終了する。また、上述のステップＳＴ１０４で第２の画像ファイルであると判定するとき、制御部２０１は、直ちに、ステップＳＴ１１０に移り、以下、上述したように、第２の圧縮符号化データを復号化（デコード）して、左右の画像データを得、この左右の画像データを処理して立体視用画像を表示するための画像データを得、ディスプレイ２０９に立体視用画像（静止画像）を表示する。
【０１０６】
上述したように、図６に示す再生装置２００においては、メモリカード２０５から、第１、第２の画像ファイルまたは第２の画像ファイルを適宜読み出し、画像表示を行うことができる。
【０１０７】
Ｃ．編集装置
【０１０８】
図１２は、編集装置３００の構成例を示している。この編集装置３００は、制御部３０１と、ユーザ操作部３０２と、表示部（ディスプレイ）３０３と、ファイル読み出し／書き込み部３０４と、ファイル分解／生成部３０５と、デコーダ／エンコーダ３０６と、画像データ処理部３０７とを有している。この編集装置３００は、例えば、パーソナルコンピュータにより構成される。
【０１０９】
制御部３０１は、編集装置３００の各部の動作を制御する。ユーザ操作部３０２および表示部３０３は、ユーザインタフェースを構成しており、制御部３０１に接続されている。ユーザ操作部３０２は、編集装置３００の図示しない筐体に配置されたキーまたはボタン、あるいは表示部３０３の表示面に配置されたタッチパネル等により構成されている。表示部３０３は、ＬＣＤ、ＰＤＰ等のフラットパネルディスプレイにより構成されている。
【０１１０】
メモリカード３０８は、記録媒体を構成している。このメモリカード３０８は、上述した記録装置１００におけるメモリカード１０９に対応したものである。このメモリカード３０８には、単一の画像データを含む第１の画像ファイルと、左右の画像データを含む第２の画像ファイルとが、関連付けされて記録されている。例えば、第１の画像ファイルはＤＣＦ基本ファイルあるいはＤＣＦ拡張画像ファイルであり、これに対して第２の画像ファイルはＤＣＦ拡張画像ファイルあるいはＤＣＦ基本ファイルであり、これら第１の画像ファイルおよび第２の画像ファイルは、ＤＣＦオブジェクトを構成した状態で、メモリカード３０８に記録されている。
【０１１１】
ファイル読み出し／書き込み部３０４は、メモリカード３０８が装着されるとき、当該メモリカード３０８からファイル管理情報を読み出し、制御部３０１に供給する。制御部３０１は、当該管理情報に基づいて、メモリカード３０８に記録されているファイルのファイル名を表示する表示信号を表示部３０３に供給し、当該表示部３０３にファイル名を表示させる。ユーザは、ユーザ操作部３０２により、表示部３０３に表示されているファイル名を参照して、編集すべきＤＣＦオブジェクトを選択できる。
【０１１２】
ファイル読み出し／書き込み部３０４は、上述のようにユーザが選択したＤＣＦオブジェクトに係るＤＣＦファイルを読み出す。ファイル読み出し／書き込み部３０４は、編集制御に応じて、第１の画像ファイルおよび第２の画像ファイルのいずれかあるいは双方を読み出す。なお、上述したように、第１の画像ファイルがＤＣＦ基本ファイルで第２の画像ファイルがＤＣＦ拡張画像ファイルである場合と、その逆の場合とがある。
【０１１３】
また、ファイル読み出し／書き込み部３０４は、ファイル分解／生成部３０５で生成された第１の画像ファイルおよび第２の画像ファイルを、メモリカード３０８に書き込む。この場合、当該第１の画像ファイルおよび第２の画像ファイルを、上述したようにメモリカード３０８から読み出される第１の画像ファイルおよび第２の画像ファイルと同じファイル名として上書きしてもよく、あるいは上述したようにメモリカード３０８から読み出される第１の画像ファイルおよび第２の画像ファイルとは異なるファイル名として別個のＤＣＦオブジェクトとして書き込むようにしてもよい。
【０１１４】
ファイル分解／生成部３０５は、ファイル読み出し／書き込み部３０４で読み出されたＤＣＦファイル（ＤＣＦ基本ファイル、ＤＣＦ拡張画像ファイル）を分解し、メタデータおよびＪＰＥＧ圧縮画像データを得る。また、ファイル分解／生成部３０５は、デコーダ／エンコーダ３０６で生成された単一の画像データに係る第１の圧縮符号化データを含む第１の画像ファイルを生成すると共に、デコーダ／エンコーダ３０６で生成された左右の画像データに係る第２の圧縮符号化データを含む第２の画像ファイルを生成する。
【０１１５】
この場合、第１、第２の画像ファイルの種類（ＤＣＦ基本ファイル、ＤＣＦ拡張画像ファイル）は、上述したようにファイル読み出し／書き込み部３０４によってメモリカード３０８から読み出されるＤＣＦファイルと同様の関係とされる。また、第１、第２の画像ファイルのファイル名は、上述したようにファイル読み出し／書き込み部３０４によりメモリカード３０８から読み出されるＤＣＦファイルのファイル名と同じ（上書きの場合）、あるいは別（別個のＤＣＦオブジェクトとして書き込む場合）とされる。
【０１１６】
デコーダ／エンコーダ３０６は、ファイル分解／生成部３０５で得られたＪＰＥＧ圧縮画像データ（左右の画像データに係る第２の圧縮符号化データ）に対して復号化（デコード）を行って、編集対象としての左右の画像データを得る。また、デコーダ／エンコーダ３０６は、画像データ処理部３０７で編集処理された左右の画像データから選択された一方の画像データ（左右の画像データを代表する代表画像データである単一の画像データ）に対して、ＪＰＥＧの圧縮符号化を施し、第１の圧縮符号化データを生成する。また、デコーダ／エンコーダ３０６は、画像データ処理部３０７で編集処理された左右の画像データを合成して合成画像データを得、当該合成画像データに対してＪＰＥＧの圧縮符号化を施し、第２の圧縮符号化データを生成する。
【０１１７】
画像データ処理部３０７は、デコーダ／エンコーダ３０６で得られた編集対象としての左右の画像データに対して編集処理を施し、編集処理後の左右の画像データをデコーダ／エンコーダ３０６に供給する。編集処理は、例えば、画像の一部を切り出す処理、画像の一部を拡大する処理、画像を縮小する処理、画像の明度、彩度、色相等を変更する処理などである。
【０１１８】
図１２に示す編集装置３００の動作を説明する。
【０１１９】
ファイル読み出し／書き込み部３０４では、ユーザが選択したＤＣＦオブジェクトに係るＤＣＦファイル（ＤＣＦ基本ファイル、ＤＣＦ拡張画像ファイル）の読み出しが行われる。この場合、ファイル読み出し／書き込み部３０４では、編集制御に応じて、第２の画像ファイルだけ、あるいは第１の画像ファイルおよび第２の画像ファイルの双方が読み出される。なお、上述したように、第１の画像ファイルがＤＣＦ基本ファイルで第２の画像ファイルがＤＣＦ拡張画像ファイルである場合と、その逆の場合とがある。ファイル読み出し／書き込み部３０４で読み出されたＤＣＦファイルはファイル分解／生成部３０５に供給される。
【０１２０】
ファイル分解／生成部３０５では、ファイル読み出し／書き込み部３０４で読み出されたＤＣＦファイルが分解され、メタデータおよびＪＰＥＧ圧縮画像データが得られる。メタデータは制御部３０１に供給される。制御部３０１は、当該メタデータから、ファイル読み出し／書き込み部３０４で読み出されたＤＣＦファイルについての種々の情報を得ることができる。ファイル分解／生成部３０５で得られたＪＰＥＧ圧縮画像データ（第２の圧縮符号化データ）はデコーダ／エンコーダ３０６に供給される。
【０１２１】
デコーダ／エンコーダ３０６では、ファイル分解／生成部３０５から供給されるＪＰＥＧ圧縮画像データに対して復号化（デコード）が行われ、編集対象としての左右の画像データが得られる。デコーダ／エンコーダ３０６で得られる左右の画像データは、画像データ処理部３０７に供給される。画像データ処理部３０７では、左右の画像データに対して、編集処理が行われる。この編集処理は、例えば、表示部（ディスプレイ）３０３に、左右の画像データのいずれか、あるいは双方を表示した状態で、ユーザ操作に応じて行われる。編集処理後の左右の画像データは、デコーダ／エンコーダ３０６に供給される。
【０１２２】
デコーダ／エンコーダ３０６では、編集処理後の左右の画像データから選択された一方の画像データ（左右の画像データを代表する代表画像データである単一の画像データ）に対して、ＪＰＥＧの圧縮符号化が施され、第１の圧縮符号化データを生成される。また、デコーダ／エンコーダ３０６では、編集処理後の左右の画像データに対して、ＪＰＥＧの圧縮符号化が施され、第２の圧縮符号化データが生成される。デコーダ／エンコーダ３０６で生成された第１の圧縮符号化データおよび第２の圧縮符号化データはファイル分解／生成部３０５に供給される。
【０１２３】
ファイル分解／生成部３０５では、第１の圧縮符号化データ（ＪＰＥＧ圧縮画像データ）を含む第１の画像ファイルおよび第２の圧縮符号化データ（ＪＰＥＧ圧縮画像データ）を含む第２の画像ファイルが生成される。この場合、第１、第２の画像ファイルの種類（ＤＣＦ基本ファイル、ＤＣＦ拡張画像ファイル）は、上述したようにファイル読み出し／書き込み部３０４によってメモリカード３０８から読み出されるＤＣＦファイルと同様の関係とされる。また、第１、第２の画像ファイルのファイル名は、上述したようにファイル読み出し／書き込み部３０４によりメモリカード３０８から読み出されるＤＣＦファイルのファイル名と同じ（上書きの場合）、あるいは別（別個のＤＣＦオブジェクトとして書き込む場合）とされる。
【０１２４】
ファイル分解／生成部３０５で生成される第１の画像ファイルおよび第２の画像ファイルは、ファイル読み出し／書き込み部３０４に供給される。ファイル読み出し／書き込み部３０４では、第１の画像ファイルおよび第２の画像ファイルが、メモリカード３０８に関連付けされて、書き込まれる。この場合、第１の画像ファイルおよび第２の画像ファイルは、メモリカード３０８の同一のＤＣＦディレクトリ内に書き込まれる。
【０１２５】
図１３のフローチャートは、図１２の編集装置３００の制御部３０１における編集制御の一例を示している。なお、この編集制御例は、メモリカード３０８に、第１の画像ファイルがＤＣＦ基本ファイルで第２の画像ファイルがＤＣＦ拡張画像ファイルとして記録されている場合、あるいは第１の画像ファイルがＤＣＦ拡張画像ファイルで第２の画像ファイルがＤＣＦ基本ファイルとして記録されている場合のいずれにも適用される。
【０１２６】
制御部３０１は、ステップＳＴ１２１において、編集制御を開始し、その後に、ステップＳＴ１２２に移る。そして、制御部３０１は、ステップＳＴ１２２において、画像データ読み出し／書き込み部３０４により、メモリカード３０８からＤＣＦ基本ファイルの読み出しを行う。また、制御部３０１は、ステップＳＴ１２２において、ファイル分解／生成部３０５により、読み出したＤＣＦ基本ファイルを分解し、メタデータおよびＪＰＥＧ圧縮画像データを得る。
【０１２７】
次に、制御部３０１は、ステップＳＴ１２３において、ステップＳＴ１２２で得られたメタデータに基づいて、ステップＳＴ１２２で読み出したＤＣＦ基本ファイルが第１の画像ファイルであるか第２の画像ファイルであるかを判定する。上述したように、第１の画像ファイルには単一の画像データに係る第１の圧縮符号化データが含まれており、第２の画像ファイルには左右の画像データに係る第２の圧縮符号化データが含まれている。
【０１２８】
制御部３０１は、第１の画像ファイルであると判定するとき、ステップＳＴ１２４において、画像データ読み出し／書き込み部３０４により、メモリカード３０８からＤＣＦ拡張画像ファイルの読み出しを行う。また、制御部３０１は、ステップＳＴ１２４において、ファイル分解／生成部３０５により、読み出したＤＣＦ拡張画像ファイルを分解し、メタデータおよびＪＰＥＧ圧縮画像データ（第２の圧縮符号化データ）を得る。制御部３０１は、ステップＳＴ１２４の処理の後に、ステップＳＴ１２５に移る。なお、制御部３０１は、ステップＳＴ１２３で第２の画像ファイルであると判定するときは、直ちに、ステップＳＴ１２５に移る。
【０１２９】
制御部３０１は、ステップＳＴ１２５において、ステップＳＴ１２５で得られた第２の圧縮符号化データを復号化（デコード）して、編集対象としての左右の画像データを得る。そして、制御部３０１は、ステップＳＴ１２６において、左画像データおよび右画像データの編集を行う。この場合、左右の画像データの整合性がとれるように編集が行われる。
【０１３０】
次に、制御部３０１は、ステップＳＴ１２７において、デコーダ／エンコーダ３０６により、ステップＳＴ１２６において編集された左右の画像データを合成した合成画像データを生成する。その後、制御部３０１は、ステップＳＴ１２８において、デコーダ／エンコーダ３０６により、合成画像データに対してＪＰＥＧの圧縮符号化を行い、第２の圧縮符号化データ（ＪＰＥＧ圧縮画像データ）を生成する。
【０１３１】
次に、制御部３０１は、ステップＳＴ１２９において、ファイル分解／生成部３０５により、ステップＳＴ１２８で生成した第２の圧縮符号化データを含む第２の画像ファイルを、ＤＣＦ拡張画像ファイル（拡張子は「XXX」）、あるいはＤＣＦ基本ファイル（拡張子は「JPG」）として生成する。そして、制御部３０１は、ステップＳＴ１３０において、ファイル読み出し／書き込み部３０４により、ステップＳＴ１２９で生成した第２の画像ファイルを、メモリカード３０８内の所定のＤＣＦディレクトリに書き込む。
【０１３２】
次に、制御部３０１は、ステップＳＴ１３１において、画像データ処理部３０７で編集処理された後の左右の画像データから選択された一方の画像データ（左右の画像データを代表する代表画像データである単一の画像データ）に対して、ＪＰＥＧの圧縮符号化を行い、第１の圧縮符号化データ（ＪＰＥＧ圧縮画像データ）を生成する。そして、制御部３０１は、ステップＳＴ１３２において、ステップＳＴ１３１で生成した第１の圧縮符号化データを含む第１の画像ファイルを、ＤＣＦ基本ファイル（拡張子は「JPG」）、あるいはＤＣＦ拡張画像ファイル（拡張子は「XXX」）として生成する。
【０１３３】
次に、制御部３０１は、ステップＳＴ１３３において、ファイル読み出し／書き込み部３０４により、ステップＳＴ１３２で生成した第１の画像ファイルを、メモリカード３０８内の、上述した所定のＤＣＦディレクトリに書き込む。
【０１３４】
制御部３０１は、ステップＳＴ１３３の処理の後、ステップＳＴ１５４において、編集制御を終了する。
【０１３５】
上述したように、図１２に示す編集装置３００においては、メモリカード３０８から第２の画像ファイルが読み出され、この第２の画像ファイルに含まれる左右の画像データに対して編集処理が施された後、編集処理後の左右の画像データが含まれた第２の画像ファイルが生成され、また、編集処理後の左右の画像データから選択された単一の画像データが含まれた第１の画像ファイルが生成され、これら第１、第２の画像ファイルがメモリカード３０８に書き込まれる。このように、図１２に示す編集装置３００においては、編集処理後の単一の画像データとして、編集処理後の左右の画像データから選択されたものを用いるものであり、編集処理後の第１の画像ファイルに含まれる単一の画像データと、第２の画像ファイルに含まれる左右の画像データとは整合性のとれたものとなる。
【０１３６】
なお、上述実施の形態においては、互いに異なる視点で被写体を撮像して得られた複数の画像データとして、左右の視点で被写体を撮像して得られた左右の画像データを示したが、これに限定されるものではない。すなわち、互いに異なる視点で被写体を撮像して得られた複数の画像データとして、左右の視点で被写体を撮像して得られた左右の画像データの他に、さらに多くの視点で被写体を撮像して得られた画像データが含まれるようにしてもよい。また、上述実施の形態においては、左右の画像データのうち一方を選択して単一の画像データとしたものであるが、単一の画像データは、左右の画像データとは別個に得るようにしてもよい。
【０１３７】
また、上述実施の形態においては、ＤＣＦオブジェクトとしてメモリカードに記載されたＤＣＦ基本ファイルおよびＤＣＦ拡張画像ファイルの消去、コピーについては説明していないが、これらＤＣＦ基本ファイルおよびＤＣＦ拡張画像ファイルは、一括して消去あるいはコピーされるように制御される。
【０１３８】
また、上述実施の形態においては、単一の画像データを含む第１の画像ファイルおよび左右の画像データを含む第２の画像ファイルを、ＤＣＦファイル（ＤＣＦ基本ファイル、ＤＣＦ拡張画像ファイル）として、記録媒体に記録するものを示したが、記録形式は、これに限定されない。ただし、第１の画像ファイルと第２の画像ファイルとを関連づけて記録する必要がある。
【産業上の利用可能性】
【０１３９】
この発明は、立体視用画像の表示が不可能な再生装置にあっても良好な画像表示が可能となるものであり、立体視用画像を表示するための多視点の画像データ、例えば左右の画像データを取り扱う記録装置等に適用できる。
【図面の簡単な説明】
【０１４０】
【図１】この発明の実施の形態としての記録装置の構成例を示すブロック図である。
【図２】ＤＣＦ基本ファイルとＤＣＦ拡張画像ファイルとの関係を説明するための図である。
【図３】ＤＣＦファイル名の構成を説明するための図である。
【図４】ＤＣＦ基本ファイルとＤＣＦ拡張画像ファイルの構成例を示す図である。
【図５】記録装置の制御部における記録制御の一例を示すフローチャートである。
【図６】この発明の実施の形態としての再生装置の構成例を示す図である。
【図７】立体視用画像の表示機能がある再生装置の制御部における再生制御の一例を示すフローチャートである。
【図８】立体視用画像の表示機能がある再生装置の制御部における再生制御の他の例を示すフローチャートである。
【図９】立体視用画像の表示機能がある再生装置の制御部における再生制御のさらに他の例を示すフローチャートである。
【図１０】立体視用画像の表示機能のない再生装置の制御における再生制御の一例を示すフローチャートである。
【図１１】立体視用画像の表示機能がある再生装置の制御部における再生制御の別の例を示すフローチャートである。
【図１２】この発明の実施の形態としての編集装置の構成例を示すブロック図である。
【図１３】編集装置の制御部における編集制御の一例を示すフローチャートである。
【符号の説明】
【０１４１】
１００・・・記録装置、１０１・・・制御部、１０２・・・ユーザ操作部、１０３・・・表示部、１０４・・・画像データ取り込み部、１０５・・・画像データ処理部、１０６・・・エンコーダ、１０７・・・ファイル生成部、１０８・・・ファイル書き込み部、１０９・・・メモリカード、２００・・・再生装置、２０１・・・制御部、２０２・・・ユーザ操作部、２０３・・・表示部、２０４・・・ファイル読み出し部、２０５・・・メモリカード、２０６・・・ファイル分解部、２０７・・・デコーダ、２０８・・・画像データ処理部、２０９・・・ディスプレイ、３００・・・編集装置、３０１・・・制御部、３０２・・・ユーザ操作部、３０３・・・表示部（ディスプレイ）、３０４・・・ファイル読み出し／書き込み部、３０５・・・ファイル分解／生成部、３０６・・・デコーダ／エンコーダ、３０７・・・画像データ処理部
【図１】
2008283602.tif 000003
【図２】
2008283602.tif 000004
【図３】
2008283602.tif 000005
【図５】
2008283602.tif 000006
【図６】
2008283602.tif 000007
【図７】
2008283602.tif 000008
【図８】
2008283602.tif 000009
【図９】
2008283602.tif 000010
【図１０】
2008283602.tif 000011
【図１１】
2008283602.tif 000012
【図１２】
2008283602.tif 000013
【図１３】
2008283602.tif 000014
【図４】
2008283602.tif 000015